(57)【特許請求の範囲】
【請求項１】
商品陳列棚を複数段有する冷ケースの上方棚に取り付けられる上方係合板と、該上方係合板に脱着自在または脱着不能に取り付けられる略半円形状の骨格部材を有する仕切り部と、
該仕切り部の略半円形状の骨格部材の一端部と前後方向に回動自在に結合され、該骨格部材とで、逆Ｊ字状アーチを形成する傾斜バー部と、
該傾斜バー部の前記仕切り部との結合部とは反対側の一端部を前後方向に回動自在に支持すると共に、冷ケースの下方棚に取り付けられる下方係合板に脱着自在または脱着不能に取り付けられる位置決め用中間部材と、
前記傾斜バー部の前側縁又は前後の両側縁に設けられた係合溝に脱着自在に取り付けられる表示部と、を備えることを特徴とする商品陳列冷ケース用表示具。
【請求項２】
前記表示部は略矩形状であって、該略矩形状の長辺の一辺を形成する係合突起部が前記傾斜バー部の後側縁の係合溝に係合され、該傾斜バー部の裏側に設置されるか、または前側縁の係合溝に係合され、該傾斜バー部の表側に設置されることを特徴とする請求項１記載の商品陳列冷ケース用表示具。
【請求項３】
前記商品陳列冷ケース用表示具を２個以上使用し、隣接する商品陳列冷ケース用表示具の間に位置する陳列商品を表示する請求項１または２記載の商品陳列冷ケース用表示具の使用方法。
【発明の詳細な説明】
【０００１】
【発明の属する技術分野】
本発明は、スーパー等で生鮮野菜や肉類の陳列を行う冷ケースに使用される表示具で、特に、顧客の目を引く表示具およびその使用方法に関するものである。
【０００２】
【従来の技術】
スーパーなどにおいて、冷ケースに置かれた生鮮野菜や肉類を表示する場合、商品名や価格などは直接その商品の包装に表示している。これら冷ケースに陳列された一群の商品を目玉品として売り出すには、顧客の目を引くための表示物を掲げる必要がある。この場合、冷ケースの前方の通路や、冷ケースの中などに、表示カードなどの表示具を支持する掲示物表示具を設置するような形態で行われている。
【０００３】
【発明が解決しようとする課題】
しかしながら、近年、スーパーは大型化しており、商品も多種類で大量の陳列が行われている。生鮮野菜や肉類も同様であり、従って、これを陳列する冷ケースも上下方向に複数の棚段を設け、収納容積を高めている。このような状況下、冷ケースに陳列された商品を顧客の目を引くように表示を行う場合、従来の冷ケースの前方の通路に表示具を立てる方法は、対象となる陳列商品から離れていることもあり、どの範囲のものまでを指すのか判り難い。また、顧客や作業者の通行の妨げとなると共に、顧客や作業者が該表示具に接触した場合、表示具を損傷させたり、逆に顧客を傷つけたりする。また、冷ケース内に表示具を立てる方法は、陳列商品を直接的に表示できる点で有効な方法であるものの、冷ケース内の商品陳列のための収納スペースを制限してしまうという問題がある。
【０００４】
従って、本発明の目的は、冷ケース内の商品の陳列スペースを確保すると共に、顧客の目を一段と惹きつけることができ、且つ陳列商品の表示性に優れる商品陳列冷ケース用表示具およびその使用方法を提供することにある。
【０００５】
【課題を解決するための手段】
かかる実情において、本発明者は鋭意検討を行った結果、冷ケースの上方棚と下方棚にそれぞれ左右方向に移動自在に取り付けられる上方係合板と下方係合板の間に逆Ｊ字状のアーチを渡し、上方の半円弧状部分を商品を仕切る機能を持たせると共に、アーチの一部を構成する傾斜バー部に表示部を取り付ければ、冷ケース内の商品の陳列スペースを確保すると共に、顧客の目を一段と惹きつけることができ、且つ陳列商品の表示性に優れる商品陳列冷ケース用表示具が得られることを見出し、本発明を完成するに至った。すなわち、本発明（１）は、商品陳列棚を複数段有する冷ケースの上方棚に取り付けられる上方係合板と、該上方係合板に脱着自在または脱着不能に取り付けられる略半円形状の骨格部材を有する仕切り部と、該仕切り部の略半円形状の骨格部材の一端部と前後方向に回動自在に結合され、該骨格部材とで、逆Ｊ字状アーチを形成する傾斜バー部と、該傾斜バー部の前記仕切り部との結合部とは反対側の一端部を前後方向に回動自在に支持すると共に、冷ケースの下方棚に取り付けられる下方係合板に脱着自在または脱着不能に取り付けられる位置決め用中間部材と、前記傾斜バー部の前側縁又は前後の両側縁に設けられた係合溝に脱着自在に取り付けられる表示部と、を備える商品陳列冷ケース用表示を提供するものである。この商品陳列冷ケース用表示具を使用すれば、冷ケース内の商品の陳列スペースを確保すると共に、この表示具に顧客の目を一段と惹きつけることができ、且つ陳列商品の表示性に優たものとなる。
【０００６】
本発明（２）は、前記表示部は略矩形状であって、該略矩形状の長辺の一辺を形成する係合突起部が前記傾斜バー部の後側縁の係合溝に係合され、該傾斜バー部の裏側に設置されるか、または前側縁の係合溝に係合され、該傾斜バー部の表側に設置される前記商品陳列冷ケース用表示具を提供するものである。表示部を傾斜バー部の表側に設置すれば、アーチ状の特徴的な形態による印象に加え、更に、該表示部が顧客の目に留まり易くなる。また、傾斜バー部は後方に傾斜しているため、該表示部の出っ張りは顧客や作業者の通行の妨げにはさほどならない。また、表示部を傾斜バー部の内側に設置すれば、表示部がより陳列商品に近くなり、表示性により優れたものになる。更に、該表示部は傾斜バー部より外側には突出部がなくなるため、顧客などの通行の妨げとならない。
【０００７】
また、本発明（３）は、前記商品陳列冷ケース用表示具を２個以上使用し、隣接する商品陳列冷ケース用表示具の間に位置する陳列商品を表示する前記商品陳列冷ケース用表示具の使用方法を提供するものである。この方法によれば、一対の商品陳列冷ケース用表示具が商品を区画する機能を奏するため、該表示具で囲まれる陳列商品を目玉商品やキャンペーン商品として識別させることができる。
【０００８】
【発明の実施の形態】
次に、本発明の第１の実施の形態における商品陳列冷ケース用表示具を図１〜図３を参照して説明する。図１は本例の商品陳列冷ケース用表示具の斜視図、図２はその分解図、図３は本例の商品陳列冷ケース用表示具を冷ケースに設置した状態を側面から見た模式図をそれぞれ示す。商品陳列冷ケース用表示具１は商品陳列棚を複数段有する冷ケース１０の上方棚１１に左右移動自在に取り付けられる上方係合板２と、上方係合板２に脱着自在に取り付けられる略半円形状の骨格部材３１を有する仕切り部３と、仕切り部３の略半円形状の骨格部材３１の一端部３５と前後方向に回動自在に結合され、骨格部材３１とで、逆Ｊ字状アーチを形成する傾斜バー部４と、傾斜バー部４の仕切り部３との結合部とは反対側の一端部４４を前後方向に回動自在に支持すると共に、冷ケース１０の下方棚１２に左右移動自在に取り付けられる下方係合板６に脱着自在または脱着不能に取り付けられる位置決め用中間部材９と、傾斜バー部４の側面に設けられた係合溝４２に脱着自在に取り付けられる表示部７と、を備える。なお、本明細書において、前後方向の「前」は該商品陳列冷ケース用表示具を冷ケースに取り付けた場合における顧客などの通路側であり、左右方向は長手方向を言う。
【０００９】
上方係合板２は平板状部２２と、平板状部２２の前方端を下方に折り曲げて形成される係合片２１とからなり、平板状部２２には、３列で、各列に４個の係合孔２２が合計１２個形成されている。各係合孔２２は貫通の孔の前方で上方両側に突出片を設けたもので、後述する仕切り部３の係合突起３４１が係合孔２２の後方側から挿入され、手前に引かれて固定するようになっている。係合孔を３列にしたことで、３通りの係合位置が選択でき、左右方向に列間のピッチ分の微調整が可能となる。本発明においては、係合孔の列数、個数及び係合形態は特に制限されず、用途などに応じて適宜決定される。
【００１０】
仕切り部３は逆Ｊ字状アーチの一部の構成部材であり、自らは冷ケース１０の上方棚１１に陳列される商品を区画する仕切り板の機能を有すると共に、後述する傾斜バー部と一体となって、逆Ｊ字状アーチを形成する。仕切り部３は断面が略矩形で、形状が略半円形状の骨格３１と、略半円形状の骨格３１の後方端から前方へ屈曲させた半径程度の長さを有する係合基板３４１と、略半円形状の骨格３１の内側を仕切る横桟３２と、２本の縦桟３３と、略半円形状の骨格の下方端に形成される係合雄部３５と、係合基板３４１の裏面に付設される３個の係合突起３４１を有する。係合突起３４１は断面が略逆Ｔ字状のものである。横桟３２及び縦桟３３は本発明において、必須の構成部材ではないが、これを付設することにより、略半円形状の骨格構造の強度を高めると共に、商品を区画する仕切り板としての機能をより高めることができる。係合突起３４１は上方係合板２の係合孔２２に挿入され手前に引かれることにより、嵌合がきつくなり固定される。略半円形状骨格構造の大きさは、使用する冷ケースの上方棚の奥行き、高さスペースなどを考慮して決定される。また、略半円形状骨格の下方端に形成される係合雄部３５は、傾斜バー部４の一端と前後方向に回動自在に結合されるものであればよく、係合雌部であってもよい。この場合、傾斜バー部４の一端は係合雄部となる。本発明においては、上方係合板２と仕切り部３の係合形態は、上記形態に限定されず、公知の種々の係合形態が使用できる。また、上方係合板２の係合片２１は省略することができる。これにより、冷ケースの棚の前方に係合溝を有しないものにも単に、載置するだけで適用できる。
【００１１】
傾斜バー部４は、仕切り板部３の略半円形状骨格３１の一端部３５と前後方向に回動自在に結合され、該略半円形状骨格３１とで逆Ｊ字状アーチを形成すると共に、位置決め用中間部材９に結合されるものである。本例では、略半円形状骨格３１の一端部３５との結合はジョイント部材８を使用して行い、位置決め用中間部材９との結合はインサート部材４９を使用して行われる。本例において、傾斜バー部４は断面が略楕円形の中空棒部材で、前側縁には表示部を取り付けるための係合溝４２と、上端はジョイント部材８を挿入する開口４１と、上方の右側面にはジョイント部材８の挿入位置を定める係合孔４３と、下端はインサート部材４９を挿入する開口４４を有する。また、傾斜バー部４の係合溝４２の位置は本例のものに限定されず、前後の両側縁に形成させてもよい。
【００１２】
ジョイント部材８は傾斜バー部４の上端部から挿入される本体部８３と、仕切り部３の係合雄部３５に回動自在に結合する係合雌部８２と、傾斜バー４に挿入された後、挿入位置を定める係合孔４３と係合する本体部８３の側面に形成される係合突起８１とを備える。ジョイント部材８は本体部８３を軸心として１８０度回転させて使用することもできる。すなわち、仕切り部３の係合雄部３５とジョイント部材８の係合雌部８２とはジョイント部材８が前後反対でも係合可能である。本発明において、ジョイント部材８は必須の構成要素ではなく、例えば、これを省略して、傾斜バー部４の上方端部に係合雌部８２を一体的に形成させたものであってもよい。インサート部材４９は傾斜バー部４の下端部から挿入される本体部４３１と、本体部４３１の下方端にあり、位置決め用中間部材９の支持係合孔９１に係合する係合突起４３２とを備える。傾斜バー部４とインサート部材４９の本体部４３１との嵌め合いは、本体部４３１に形成される図では省略する螺子孔に手回し螺子をねじ込み、インサート部材４９に手回し螺子の先端部を押し付けることで行われる。これにより、大きさの異なる冷ケース毎の長さ調整が容易にできる点で好ましい。また、インサート部材４９は本体部４３１を軸心として１８０度回転させて使用することもできる。すなわち、傾斜バー部の下端の開口４４とインサート部材４９の本体部４３１とはインサート部材４９が前後反対でも係合可能である。これにより、傾斜バー部を長手方向を軸心として１８０度回転させれば、表示部が係合する係合溝４２が後ろ側となり、表示部７の内側表示を可能とする。本発明において、インサート部材４９は必須の構成要素ではなく、例えば、これを省略して、傾斜バー部４の下方端部に係合突起４３２を形成させたものであってもよい。
【００１３】
位置決め用中間部材９は、インサート部材４９、すなわち、傾斜バー部４を前後方向に回動自在に支持すると共に、下方係合板６に係合される。すなわち、位置決め用中間部材９は略平板状の基板９３と、基板９３の前方側に立設して形成される支持係合孔９１と、基板９３の裏面に付設される２個の係合突起９４を有する。支持係合孔９１は狭い開口９１１と、径がインサート部材４９の係合突起４３２の径よりもやや大きめの径を有する奥の丸穴９１２とからなり、係合突起４３２は開口９１１から押し込み、開口を広げて挿入される。この係合により、容易に外れることなく、前後方向に回動自在とすることができる。
【００１４】
下方係合板６は、位置決め用中間部材９を脱着自在に固定すると共に、冷ケース１０の下方棚１２に左右方向移動自在に設置される。下方係合板６は、本例では上方係合板２と同じ寸法、同じ構造を有している。すなわち、下方係合板６は平板状部６３と、平板状部６３の前方端を下方に折り曲げて形成される係合片６１とからなり、平板状部６３には、３列で、各列に４個の係合孔６２が合計１２個形成されている。各係合孔６２は貫通の孔の前方で上方両側に突出片を設けたもので、位置決め用中間部材９の係合突起９４が係合孔６２の後方側から挿入され、手前に引かれて固定するようになっている。係合孔６２を３列にしたことで、３通りの係合位置が選択でき、左右方向に列間のピッチ分の微調整が可能となる。本例の商品陳列冷ケース用表示具１では、上方係合板２で使用される列と、下方係合板６で使用される列とは通常同じ列である。本発明においては、上方係合板２と同様、係合孔の列数、個数及び係合形態は特に制限されず、用途などに応じて適宜決定される。また、下方係合板の係合片６１も省略できる。
【００１５】
本発明においては、表示部７は傾斜バー部４の係合溝４２に抜き差しできるものであれば、形状、大きさなどは特に制限されないが、本例では略矩形状であって、該略矩形状の長辺の一辺を形成する係合突起部７１が傾斜バー部４の前側縁に設けられた係合溝４２に係合され、傾斜バー部４の表側に設置されるようになっている。すなわち、表示部７は矩形状の表示本体部７２と、表示本体部７２の前側の丸縁７３と、傾斜バー部４の係合溝４２に係合する係合突起部７１とからなる。表示部本体部７２には、冷ケースに陳列される商品名などが、顧客の目を引くように大きく表示される。
【００１６】
次に、本例における商品陳列冷ケース用表示具の使用方法の一例について、説明する。本例の商品陳列冷ケース用表示具は予め、構成部材を組み付けて、図１に示す形態を完成させ、これを冷ケースに取り付けても、あるいは、冷ケース内において、各構成部材を組み付けてもよい。上方係合板２と仕切り部３の係合及び下方係合板６と位置決め中間部材９の係合において、上方係合板２あるいは下方係合板６のどの列の係合孔を使用するかは、適宜決定されるが、冷ケース１０内の両側端部以外の部分では、３列のうち、中央の列とするのが、見栄えの点で好適である。また、冷ケース１０内の左側端部で使用する場合は３列のうち、左端列とするのが、冷ケース１０内の右側端部で使用する場合は３列のうち、右端列とするのが、冷ケース１０の左側端や右側端にそれぞれデッドスペースを形成させることがない点で好適である。また、傾斜バー部４は、表示部７を傾斜バー部４の前方、すなわち、表側に表示したい場合には、組み付けの際、係合溝４２が前方にくるように行えばよい。逆に、表示部７を傾斜バー部４の後方、すなわち、裏側に表示したい場合には、組み付けの際、傾斜バー部４を長手方向を軸心として１８０度反転させ、係合溝４２が後方にくるようにすればよい。
【００１７】
このようにして組み付けられた商品陳列冷ケース用表示具１は、これを２個以上使用し、隣接する商品陳列冷ケース用表示具１、１の間に位置する陳列商品１５を表示する。すなわち、一の商品陳列冷ケース用表示具は、上方係合板２の係合片２１を冷ケース１０の上方棚１１の前方溝１１１に係合され、更に、下方係合片６１を冷ケース１０の下方棚１２の前方溝１２１に係合されて、一群の陳列商品の一方の側に設置され、他の一の商品陳列冷ケース用表示具は、同様に、一群の陳列商品の他方の側に設置される。
【００１８】
本例の商品陳列冷ケース用表示具１は、冷ケース１０内の陳列商品１５の陳列スペースを確保すると共に、この表示具に顧客の目を一段と惹きつけることができ、且つ陳列商品の表示性に優たものとなる。また、表示部７を傾斜バー部４の表側に設置したため、アーチ状の特徴的な形態による印象に加え、更に、該表示部７が顧客の目に留まり易くなる。また、傾斜バー部４は後方（奥側）に傾斜しているため、表示部７の出っ張りは顧客や作業者の通行の妨げにはさほどならない。
【００１９】
次に、本発明の第２の実施の形態における商品陳列冷ケース用表示具を図４および図５を参照して説明する。図４は本例の商品陳列冷ケース用表示具の斜視図、図５は本例の商品陳列冷ケース用表示具を冷ケースに設置した状態の斜視図をそれぞれ示す。図４において、図１と同一構成要素には同一符号を付して、その説明を省略し、異なる点について説明する。すなわち、図４の商品陳列冷ケース用表示具１ａにおいて、図１と異なる点は表示部の設置位置を表側から内側にした点にある。すなわち、傾斜バー部４を組み付ける際、傾斜バー部４を長手方向を軸心として１８０度回転させ、係合溝４２を内側として、これに表示部７を取り付けたものである。本例の商品陳列冷ケース用表示具１ａによれば、冷ケース１０内の商品１５の陳列スペースを確保すると共に、この表示具１ａに顧客の目を一段と惹きつけることができ、且つ陳列商品の表示性に優たものとなる。また、表示部７を傾斜バー部４の内側に設置したため、表示部７がより陳列商品１５に近くなり、表示性により優れたものになる。更に、表示部７は傾斜バー部４より外側には突出部がなくなるため、顧客等の通行の妨げとならない（図５参照）。
【００２０】
【発明の効果】
本発明の商品陳列冷ケース用表示具によれば、冷ケース内の商品の陳列スペースを確保すると共に、この表示具に顧客の目を一段と惹きつけることができ、且つ陳列商品の表示性に優たものとなる。
また、本発明の商品陳列冷ケース用表示具の使用方法によれば、一対の商品陳列冷ケース用表示具が商品を区画する機能を奏するため、該表示具で囲まれる陳列商品を目玉商品やキャンペーン商品として、識別させることができる。
【図面の簡単な説明】
【図１】第１の実施の形態における商品陳列冷ケース用表示具の斜視図である。
【図２】図１の分解図である。
【図３】第１の実施の形態例の商品陳列冷ケース用表示具を冷ケースに設置した状態を側面から見た模式図である。
【図４】第２の実施の形態例における商品陳列冷ケース用表示具の斜視図である。
【図５】第２の実施の形態例の商品陳列冷ケース用表示具を冷ケースに設置した状態を示す図である。
【符号の説明】
１、１ａ      商品陳列冷ケース用表示具
２            上方係合板
３            仕切り部
４            傾斜バー部
５            逆Ｊ字状アーチ
６            下方係合板
７            表示部
８            ジョイント部材
９            位置決め用中間部材
１０            冷ケース
１１            上方棚
１２            下方棚
１５            陳列商品
２１、６１      係合片
２２、６２      係合孔
２３、６３      平板状部
３１            略半円形状の骨格
３２            横桟
３３            縦桟
４２            係合溝
４９            インサート部材
【図１】
0004775875.tif 000002
【図２】
0004775875.tif 000003
【図３】
0004775875.tif 000004
【図４】
0004775875.tif 000005
【図５】
0004775875.tif 000006